(57)【要約】【課題】斜め方向からレーザ光を照射しても、周辺部品への熱影響を防ぐ。【解決手段】ワーク１に設けられたスルーホール１１と、ワーク１上のスルーホール１１の周囲に設けられたランド１２と、スルーホール１１に挿入された状態でレーザはんだ付けにより当該スルーホール１１に接続された導線２とを備え、ランド１２は、レーザはんだ付けにおいて照射されるレーザ光が導線２及び当該レーザはんだ付けにおける供給はんだにより反射される方向に延びて構成された。【選択図】図１
2017098396.tif 000002
【特許請求の範囲】
【請求項１】
ワークに設けられたスルーホールと、
前記ワーク上の前記スルーホールの周囲に設けられたランドと、
前記スルーホールに挿入された状態でレーザはんだ付けにより当該スルーホールに接続された導線とを備え、
前記ランドは、前記レーザはんだ付けにおいて照射されるレーザ光が前記導線及び当該レーザはんだ付けにおける供給はんだにより反射される方向に延びて構成された
ことを特徴とする接続構造。
【請求項２】
ワークに設けられたスルーホールと、前記ワーク上の前記スルーホールの周囲に設けられたランドと、前記スルーホールに挿入可能である導線とを備え、前記ランドは、前記レーザはんだ付けにおいて照射されるレーザ光が前記導線及び当該レーザはんだ付けにおける供給はんだにより反射される方向に延びて構成された接続構造の接続方法であって、
前記レーザはんだ付け部が、前記スルーホールに通された前記導線に対して、前記ランドの延伸方向に沿って斜め方向からレーザ光を照射してはんだ付けを行う
ことを特徴とする接続方法。
【発明の詳細な説明】
【技術分野】
【０００１】
この発明は、導線とスルーホールとの接続構造及び接続方法に関するものである。
【背景技術】
【０００２】
はんだ付けとして、近年、プロセスの短時間化及びメンテナンスフリーを目的として、レーザはんだ付けの需要が高まっている（例えば特許文献１，２参照）。
ここで、ワークに設けられたスルーホールに対して導線をはんだ付けする場合、通常では、スルーホールに通された導線に対して、真上からレーザ光を照射している。しかしながら、この場合、導線とスルーホールとのクリアランスをレーザ光が通過し、導線の被覆を焦がしてしまうという課題がある。
そこで、従来では、図３に示すように、ワーク１０１のスルーホール１０１１に通された導線１０２に対して、レーザ光源１０３１は、斜め方向（ワーク１０１に対して６０〜４５度の角度）からレーザ光を照射している。これにより、上記クリアランスをレーザ光が通過して導線１０２の被覆１０２１に到達することを防ぐことができる。なお図３に示す符号１０１２はランドである。また図３では、レーザはんだ付けを行うはんだ付け装置のうち、レーザ光源１０３１のみを図示している。
【先行技術文献】
【特許文献】
【０００３】
【特許文献１】特開２００８−１６８３３３号公報
【特許文献２】特開２０１３−１８７４１１号公報
【発明の概要】
【発明が解決しようとする課題】
【０００４】
上述したように、従来のレーザはんだ付けでは、斜め方向からレーザ光を照射することで、レーザ光が導線１０２とスルーホール１０１１とのクリアランスを通過して導線１０２の被覆１０２１に到達することを防いでいる。しかしながら、斜め方向からレーザ光を照射した場合、導線１０２及び供給はんだ（不図示）からの反射光の影響により、周辺部品への熱影響が生じるという課題がある（図３のＡ部）。
【０００５】
この発明は、上記のような課題を解決するためになされたもので、斜め方向からレーザ光を照射しても、周辺部品への熱影響を防ぐことができる接続方法及び接続方法を提供することを目的としている。
【課題を解決するための手段】
【０００６】
この発明に係る接続構造は、ワークに設けられたスルーホールと、ワーク上のスルーホールの周囲に設けられたランドと、スルーホールに挿入された状態でレーザはんだ付けにより当該スルーホールに接続された導線とを備え、ランドは、レーザはんだ付けにおいて照射されるレーザ光が導線及び当該レーザはんだ付けにおける供給はんだにより反射される方向に延びて構成されたものである。
【０００７】
また、この発明に係る接続方法は、ワークに設けられたスルーホールと、ワーク上のスルーホールの周囲に設けられたランドと、スルーホールに挿入可能である導線とを備え、ランドは、レーザはんだ付けにおいて照射されるレーザ光が導線及び当該レーザはんだ付けにおける供給はんだにより反射される方向に延びて構成された接続構造の接続方法であって、レーザはんだ付け部が、スルーホールに通された導線に対して、ランドの延伸方向に沿って斜め方向からレーザ光を照射してはんだ付けを行うものである。
【発明の効果】
【０００８】
この発明によれば、上記のように構成したので、斜め方向からレーザ光を照射しても、周辺部品への熱影響を防ぐことができる。
【図面の簡単な説明】
【０００９】
【図１】この発明の実施の形態１に係る接続構造の構成例を示す斜視図である。
【図２】この発明の実施の形態１に係る接続方法の一例を示す模式図である。
【図３】従来の接続方法を示す模式図である。
【発明を実施するための形態】
【００１０】
以下、この発明の実施の形態について図面を参照しながら詳細に説明する。
実施の形態１．
図１はこの発明の実施の形態１に係る接続構造の構成例を示す斜視図である。
この接続構造では、図１に示すように、スルーホール１１を有するワーク１と、スルーホール１１に挿入可能である導線２とを備えている。また、ワーク１の上面には、スルーホール１１の周囲に、ランド１２が設けられている。図１では、導線２、スルーホール１１及びランド１２が３つずつ設けられた場合を示している。なお符号２１は導線２の被覆である。また、スルーホール１１に導線２を通した場合、導線２とスルーホール１１との間にはクリアランスが存在している。
【００１１】
そして本発明では、ランド１２を、レーザはんだ付けにおいて照射されるレーザ光が導線２及びレーザはんだ付けにおける供給はんだにより反射される方向に延びた形状としている。図１では、ランド１２を長円形状とした場合を示している。このランド１２の延伸部分１２１により、斜め方向から照射されて導線２及び供給はんだで反射されたレーザ光を受け止めることができる。なお図１では、ランド１２を長円形状としているが、形状はこれに限るものではなく、その他の形状としてもよい。
【００１２】
一方、導線２とスルーホール１１とを接続するはんだ付け装置３は、図２に示すように、レーザ光を照射するレーザ光源３１と、はんだを供給するはんだ供給部３２と、レーザ光源３１及びはんだ供給部３２を制御する制御部（レーザはんだ付け部）３３とを備えている。制御部３３は、スルーホール１１に通された導線２に対して、ランド１２の延伸方向に沿って斜め方向からレーザ光を照射してはんだ付けを行うように、レーザ光源３１及びはんだ供給部３２を制御する。
【００１３】
次に、上記のように構成された導線２とスルーホール１１との接続方法について説明する。
導線２とスルーホール１１との接続方法では、図２に示すように、はんだ付け装置３の制御部３３が、スルーホール１１に通された導線２に対して、ランド１２の延伸方向に沿って斜め方向からレーザ光を照射してはんだ付けを行うように、レーザ光源３１及びはんだ供給部３２を制御する（レーザはんだ付けステップ）。この際、ワーク１に対して６０〜４５度の角度でレーザ光を照射する。これにより、導線２をスルーホール１１にはんだ付けすることができる。
【００１４】
ここで、レーザはんだ付けステップでは、斜め方向からレーザ光を照射している。これにより、レーザ光が導線２とスルーホール１１とのクリアランスを通過して導線２の被覆２１に到達することを防ぐことができる。
また本発明では、ランド１２を、レーザはんだ付けにおいて照射されるレーザ光が導線２及び供給はんだにより反射される方向に延びた形状としている。これにより、斜め方向に照射されたレーザ光のうち、導線２及び供給はんだで反射されたレーザ光は、ランド１２の延伸部分１２１で受け止められる。よって、この反射されたレーザ光が周辺部品に照射されることはなく、当該周辺部品に対する熱影響の発生を防ぐことができる。
【００１５】
以上のように、この実施の形態１によれば、ランド１２を、レーザはんだ付けにおいて照射されるレーザ光が導線２及び供給はんだにより反射される方向に延ばして構成したので、斜め方向からレーザ光を照射しても、周辺部品への熱影響を防ぐことができる。
【００１６】
なお、本願発明はその発明の範囲内において、実施の形態の任意の構成要素の変形、もしくは実施の形態の任意の構成要素の省略が可能である。
【符号の説明】
【００１７】
１  ワーク
２  導線
３  はんだ付け装置
１１  スルーホール
１２  ランド
２１  被覆
３１  レーザ光源
３２  はんだ供給部
３３  制御部
１２１  延伸部分
【図１】
2017098396.tif 000003
【図２】
2017098396.tif 000004
【図３】
2017098396.tif 000005